(57)【要約】【課題】一連の撮影画像の内容を解り易くすることができるデジタルカメラを提供する。【解決手段】通信手段を介して外部機器との通信時に外部機器に対応した識別用見出し画像が記録媒体に記録されているか否かを判別する手段と、識別用見出し画像がないと判別されると、外部機器に対して送信を要求し、受信した識別用見出し画像を前記記録媒体に記録するとともに、この画像に対応する画像フォルダを記録媒体内に作成し、その後、外部機器から送信される画像ファイルを受信して作成した画像フォルダに格納し、識別用見出し画像があると判別されると、外部機器から受信した画像ファイルを識別用見出し画像に対応した画像フォルダに格納する手段と、を備え、再生時の画像フォルダの一覧表示に際し、各画像フォルダに対応して記録した識別用見出し画像を表示させる。【選択図】          図９
2004158943.tif 000002
【特許請求の範囲】
【請求項１】
記録媒体内に作成された画像フォルダを選択し、撮影した画像の画像ファイルを前記選択した画像フォルダに格納するとともに、再生時に前記記録媒体内の画像フォルダの一覧を表示手段に表示させ、所望の画像フォルダを選択することによって該画像フォルダに格納された画像ファイルの画像の再生が可能なデジタルカメラにおいて、
外部機器との間でデータの送受信を行う通信手段と、
前記記録媒体内の画像フォルダを識別するための識別用見出し画像であって、前記通信手段を介して前記外部機器との通信時に該外部機器に対応した識別用見出し画像が前記記録媒体に記録されているか否かを判別する判別手段と、
前記判別手段によって識別用見出し画像がないと判別されると、前記外部機器に対して識別用見出し画像の送信を要求し、この送信要求に応じて前記外部機器から受信した識別用見出し画像を前記記録媒体に記録するとともに、該識別用見出し画像に対応する画像フォルダを前記記録媒体内に作成し、その後、前記外部機器から送信される画像ファイルを前記通信手段を介して受信して前記作成した画像フォルダに格納し、
前記判別手段によって識別用見出し画像があると判別されると、前記外部機器から前記通信手段を介して受信した画像ファイルを前記識別用見出し画像に対応した画像フォルダに格納する手段と、を備え、
前記表示手段による再生時の画像フォルダの一覧表示に際し、各画像フォルダに対応して記録した識別用見出し画像を表示させることを特徴とするデジタルカメラ。
【請求項２】
記録媒体内に作成された画像フォルダを選択し、撮影した画像の画像ファイルを前記選択した画像フォルダに格納するとともに、再生時に前記記録媒体内の画像フォルダの一覧を表示手段に表示させ、所望の画像フォルダを選択することによって該画像フォルダに格納された画像ファイルの画像の再生が可能なデジタルカメラにおいて、
前記記録媒体内の画像フォルダを識別するための識別用見出し画像を撮影する識別用見出し画像撮影モードを選択するモード選択手段と、
前記記録媒体内の画像フォルダから所望の画像フォルダを選択するとともに、前記モード選択手段によって識別用見出し画像撮影モードを選択して撮影を行うと、この撮影時に得た画像を前記選択した画像フォルダの識別用見出し画像として画像フォルダと関連付けて前記記録媒体に記録する記録手段と、を備え、
前記表示手段による再生時の画像フォルダの一覧表示に際し、各画像フォルダに対応して記録した識別用見出し画像を表示させることを特徴とするデジタルカメラ。
【発明の詳細な説明】
【０００１】
【発明の属する技術分野】
本発明はデジタルカメラに係り、特に、記録されている多数枚の画像を画像フォルダ毎にまとめて管理することができる機能を有するデジタルカメラに関する。
【０００２】
【従来の技術】
従来、この種のデジタルカメラにおいては、撮影された多数枚の画像を保存する際に、写真の種別毎にフォルダ単位で画像を保存することが多い。
【０００３】
また、デジタルカメラに無線ＬＡＮ、Ｂｌｕｅｔｏｏｔｈ  等の無線通信機能を搭載し、デジタルカメラで撮影した画像を、機器間で無線通信（伝送）し、これを利用することが検討されている。
【０００４】
このＢｌｕｅｔｏｏｔｈ  等の無線通信機能においては、事前にペアリングと称される操作が必要となる。このペアリング操作により、通信時の認証に使用するリンクキーが生成される。そして、生成されたリンクキーを機器間の相互で保持していれば、それ以降の通信時にはペアリング操作は不要となる。
【０００５】
また、この種のデジタルカメラには、通信に関する情報、たとえば、通信相手、通信日時等をファイルのヘッダや、別途用意したログ管理ファイルに残すことができるようになっているものもある。
【０００６】
このように、従来技術として、各種の提案がなされている。（特許文献１〜特許文献３参照。）。
【０００７】
【特許文献１】
特開平７−３０２２７０号公報
【０００８】
【特許文献２】
特開平１０−３３４１０８号公報
【０００９】
【特許文献３】
特開平１１−２５１０９号公報
【００１０】
【発明が解決しようとする課題】
しかしながら、上記従来のデジタルカメラにおいても、以下のような未解決の課題がある。すなわち、従来のデジタルカメラにおいては、フォルダ名とその中に記録されている撮影画像との関連付けが難しい。特に、フォルダ数や撮影画像枚数が増えるにつれ、この傾向は強くなる。
【００１１】
また、通信手段により他の機器から所得した画像ファイル群の識別には、送信元の機器固有の識別子等を利用する方法があるが、これとても関連付けが解りにくい。
【００１２】
更に、複数の機器（デジタルカメラ等）から画像ファイルを所得した場合、その場で仕分けしないと、どのデジタルカメラ等から受信した画像なのか、後での判別が困難となる。
【００１３】
本発明は、このような事情に鑑みてなされたもので、記録されている多数枚の画像を画像フォルダ毎にまとめて管理することができる機能を有するデジタルカメラにおいて、一連の撮影画像の内容を解り易くすることができるデジタルカメラを提供することを目的とする。
【００１４】
また、本発明は、このような機能を有するとともに、外部機器との間でデータの送受信を行う通信手段を有するデジタルカメラにおいて、外部機器から受信した撮影画像の内容を解り易くすることができるデジタルカメラを提供することを目的とする。
【００１５】
【課題を解決するための手段】
本発明は、前記目的を達成するために、記録媒体内に作成された画像フォルダを選択し、撮影した画像の画像ファイルを前記選択した画像フォルダに格納するとともに、再生時に前記記録媒体内の画像フォルダの一覧を表示手段に表示させ、所望の画像フォルダを選択することによって該画像フォルダに格納された画像ファイルの画像の再生が可能なデジタルカメラにおいて、
外部機器との間でデータの送受信を行う通信手段と、
前記記録媒体内の画像フォルダを識別するための識別用見出し画像であって、前記通信手段を介して前記外部機器との通信時に該外部機器に対応した識別用見出し画像が前記記録媒体に記録されているか否かを判別する判別手段と、
前記判別手段によって識別用見出し画像がないと判別されると、前記外部機器に対して識別用見出し画像の送信を要求し、この送信要求に応じて前記外部機器から受信した識別用見出し画像を前記記録媒体に記録するとともに、該識別用見出し画像に対応する画像フォルダを前記記録媒体内に作成し、その後、前記外部機器から送信される画像ファイルを前記通信手段を介して受信して前記作成した画像フォルダに格納し、
前記判別手段によって識別用見出し画像があると判別されると、前記外部機器から前記通信手段を介して受信した画像ファイルを前記識別用見出し画像に対応した画像フォルダに格納する手段と、を備え、
前記表示手段による再生時の画像フォルダの一覧表示に際し、各画像フォルダに対応して記録した識別用見出し画像を表示させることを特徴とするデジタルカメラを提供する。
【００１６】
本発明によれば、記録媒体内の画像フォルダ毎に識別用見出し画像を対応付けでき、通信手段を介して受信した画像ファイルを識別用見出し画像に対応した画像フォルダに格納できる。これにより、一連の撮影画像の内容を解り易くすることができる。
【００１７】
また、本発明は、記録媒体内に作成された画像フォルダを選択し、撮影した画像の画像ファイルを前記選択した画像フォルダに格納するとともに、再生時に前記記録媒体内の画像フォルダの一覧を表示手段に表示させ、所望の画像フォルダを選択することによって該画像フォルダに格納された画像ファイルの画像の再生が可能なデジタルカメラにおいて、
前記記録媒体内の画像フォルダを識別するための識別用見出し画像を撮影する識別用見出し画像撮影モードを選択するモード選択手段と、
前記記録媒体内の画像フォルダから所望の画像フォルダを選択するとともに、前記モード選択手段によって識別用見出し画像撮影モードを選択して撮影を行うと、この撮影時に得た画像を前記選択した画像フォルダの識別用見出し画像として画像フォルダと関連付けて前記記録媒体に記録する記録手段と、を備え、
前記表示手段による再生時の画像フォルダの一覧表示に際し、各画像フォルダに対応して記録した識別用見出し画像を表示させることを特徴とするデジタルカメラを提供する。
【００１８】
本発明によれば、記録媒体内の画像フォルダ毎に、撮影で得られた識別用見出し画像を対応付けできる。これにより、一連の撮影画像の内容を解り易くすることができる。
【００１９】
【発明の実施の形態】
以下、添付図面に従って本発明に係るデジタルカメラの好ましい実施の形態について詳説する。図１及び図２はそれぞれ本発明に係るデジタルカメラの外観を示す正面図及び背面図である。
【００２０】
これらの図に示されるように、この電子カメラ１は動画／静止画の記録再生が可能なデジタルカメラ１であり、カメラ前面には、図１に示されるように撮影レンズ１０、ファインダ窓１２、及び補助光発光部１４が設けられている。なお、補助光発光部１４としては、静止画専用のカメラの場合にはストロボ装置が用いられ、動画静止画兼用のカメラの場合には白色の発光ダイオード又はランプなどが用いられる。
【００２１】
一方、カメラ背面には、図２に示されるように録画（時間）や日付、メモリの残りなどを表示する表示用パネル２０、ファインダ接眼部２２、ズームボタン２４、メニューキー２６、実行キー２８、マルチファンクションの十字キー３０、キャンセルキー３２、画像モニタ３４、及びスピーカ３６が設けられている。
【００２２】
また、カメラ上面には、図１及び図２に示されるように電源スイッチ兼モード切換スイッチ４０、及びシャッタボタン／録画開始終了ボタン４２が設けられ、更に図１上のカメラ右側面には、イヤホーンジャック４４及び記録メディア挿入部４６が設けられている。
【００２３】
上記電源スイッチ兼モード切換スイッチ４０は、電源ＯＦＦとなる中立位置と、電源ＯＮかつ静止画撮影モードとなる位置と、電源ＯＮかつ動画撮影モードとなる位置と、電源ＯＮかつ再生モードの４ポジションを切り換える。なお、電源スイッチ兼モード切換スイッチ４０の代わりに電源ＯＮ／ＯＦＦのみのスイッチとし、前記静止画撮影モード、動画撮影モード、及び再生モードは他のモードダイヤル等で切り換えてもよい。
【００２４】
図３は図１及び図２に示したデジタルカメラ１の内部構成を示すブロック図である。このデジタルカメラ１は、撮影レンズ１０、補助光発光部（ストロボ）１４、画像モニタ３４、通信手段に該当する画像転送部３８、マルチファンクションの十字キー３０、電源スイッチ兼モード切換スイッチ４０等の操作スイッチ群４１、シャッタボタン／録画開始終了ボタン４２、シャッター・絞り５０、ＣＣＤ等の撮像デバイス５２、アナログ信号処理回路５４、Ａ／Ｄ変換器５６、デジタル信号処理回路５８、メモリ６０、圧縮伸張回路６２、内蔵メモリ又はメモリカード６４、駆動回路６６、及びＣＰＵ（中央処理装置）６８等から構成されている。
【００２５】
ＣＰＵ６８は、操作スイッチ群４１、シャッタボタン／録画開始終了ボタン４２等からの入力信号に基づいてカメラ全体の各回路を統括制御する。また、ＣＰＵ６８は、他の構成部材と連携して、既述の判別手段、格納手段、モード選択手段等を構成する。
【００２６】
いま、電源スイッチ兼モード切換スイッチによって電源がＯＮされ静止画撮影モード又は動画撮影モードが設定されると、シャッタボタン／録画開始終了ボタンの操作に基づいて静止画又は動画の撮影が行われ、一方、再生モードが設定されると、静止画又は動画の再生が行われる。
【００２７】
静止画撮影モード又は動画撮影モード時に撮影レンズ１０、シャッタ・絞り５０を通った光は、撮像デバイス５２の上に焦点を結ぶ。ここで、シャッタは撮像デバイスから信号を読み出すときに光が撮像デバイス５２に入射しスミアが発生するのを防止するものであるが、撮像デバイス５２の構成により必ずしも必要なものではない。また、絞りも単一の絞りのものや、複数の絞りが切り換えできるようなものが考えられる。補助光発光部１４は、低照度時に又は強制的に補助光を発光し、被写体を照明する。補助光発光部１４はストロボ以外の補助光でもよいし、撮像デバイスの感度が高ければ省略することもできる。
【００２８】
撮像デバイス５２は、駆動回路６６内のタイミング発生回路（図示せず）によって発生したタイミングで駆動され、画像信号を出力する。なお、駆動回路６６は、撮影レンズ１０、シャッタ・絞り５０、補助光発光部１４などの駆動回路も含む。
【００２９】
撮像デバイス５２から出力された画像信号は、アナログ信号処理回路５４でアナログ信号処理された後、Ａ／Ｄ変換器５６でデジタル信号に変換されてデジタル信号処理回路５８に加えられ、ここでデジタル処理が施される。デジタル処理された画像データは、メモリ６０に一時的に記録される。ここで、メモリ６０内の画像データを読み出し、画像モニタ３４に出力することにより動画又は静止画を画像モニタ３４に表示させることができる。
【００３０】
また、撮影後の画像データは圧縮伸張回路６２で圧縮され、内蔵メモリ又はメモリカード６４に記録される。撮影モードによっては圧縮の過程を省いて記録されることもある。また、再生モード時には内蔵メモリ又はメモリカード６４に記録されている画像データが圧縮伸張回路６２によって伸張処理された後、メモリ６０を介して画像モニタ３４に出力され、画像モニタ３４に再生画像が表示されるようになっている。
【００３１】
画像転送部３８は、操作スイッチ群４１の画像送信キーが操作された場合に、撮像部デバイス５２で撮像されて内蔵メモリ又はメモリカード６４に記録されている画像データ及び識別コード等の所要のデータからなる画像ファイルを無線又は通信ケーブル等の有線により他の外部機器に送信する。
【００３２】
また、画像転送部３８は、操作スイッチ群４１の画像受信キーが操作された場合に、他の外部機器からの画像データ等の受信を行い、受信した画像データ等を内蔵メモリ又はメモリカード６４に記録する。
【００３３】
上記構成のデジタルカメラ１において、静止画撮影モードが選択され、シャッタボタン／録画開始終了ボタン４２が押下されると、１コマ分の画像が撮影され、その画像（静止画）にファイル名が付されて内蔵メモリ又はメモリカード６４に記録される。一方、動画撮影モードが選択され、シャッタボタン／録画開始終了ボタン４２が押下されると、再びシャッタボタン／録画開始終了ボタン４２が押下されるまでの期間、所定のフレームレートで画像が連続撮影され、その連続画像（動画）にファイル名が付されて内蔵メモリ又はメモリカード６４に記録される。
【００３４】
本例のデジタルカメラ１は、画像データを保存する記録手段としてメモリカード６４が用いられている。具体的には、たとえばスマートメディア（Ｓｏｌｉｄ−Ｓｔａｔｅ  Ｆｌｏｐｐｙ  Ｄｉｓｋ  Ｃａｒｄ）が適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００３５】
図４はメモリカードのフォルダー階層構造を示す概念図である。フォーマットされたメモリカード６４はルート（ＲＯＯＴ）  の下に「ＤＣＩＭ」フォルダーが作成され、この下に  １００＿ＡＢＣＤ、１０１  ＿ＡＢＣＤ、１０２  ＿ＡＢＣＤ、…  １０９＿ＡＢＣＤ、という１０個のフォルダーが仮想的に用意される。空のフォルダーを作らないために、メモリカード６４を初期化した段階では  １００＿ＡＢＣＤ、１０１  ＿ＡＢＣＤ、１０２  ＿ＡＢＣＤ、…  １０９＿ＡＢＣＤというフォルダーは実際には作成されていない。
【００３６】
ユーザーが「  １００＿ＡＢＣＤ」〜「  １０９＿ＡＢＣＤ」のうちから何れかのフォルダーを選択して、実際に画像データをフォルダーに格納する際に、実質的なフォルダーの作成が行われる。
【００３７】
デフォルトで  １００＿ＡＢＣＤが設定されているが、キャンセルキー３２の押下によって画像モニタ３４にフォルダー切り換えメニューが表示され、十字キー３０でフォルダーを切り換えた後、実行キー２８を押下して確定させるという操作手順によって、フォルダーを自由に選択することができる。
【００３８】
各フォルダーには９９９９枚の画像（９９９９個の画像ファイル）を格納することができる。画像データは撮影順番に従って「ＡＢＣＤ＊＊＊＊．ＪＰＧ」というファイル名がＣＰＵ６８によって自動付与される。「ＡＢＣＤ」に続く４桁の番号が当該フォルダー内におけるファイル番号となる。
【００３９】
次に、再生モードを説明する。電源スイッチ兼モード切換スイッチ４０を再生モード位置に合わせると、デジタルカメラ１が再生モードに設定される。再生モードにおいて、各フォルダーを表示するフォルダー再生画面が図５に示される。ここでは、１００  ＿ＡＢＣＤ〜１０３  ＿ＡＢＣＤの４個のフォルダーが表示されており、その内の１０１  ＿ＡＢＣＤのフォルダーが選択されている。
【００４０】
図６は、フォルダー１０１  ＿ＡＢＣＤに格納されている画像ファイルの画像を再生させ、画像モニタ３４の画面に表示した状態を示している。画面右上の数字で解るように、この画像は、フォルダー１０１  ＿ＡＢＣＤに格納されている画像ファイルの１番目のものである。
【００４１】
図５に示されるフォルダー再生画面のように、各フォルダーの番号のみ表示されている状態では、格納されている画像の内容が把握しにくい。そこで、本発明に記載のような識別用見出し画像が採用される。以下、識別用見出し画像の表示までの流れについて説明する。
【００４２】
先ず、デジタルカメラ１により画像を撮影して、この撮影画像を識別用見出し画像とする態様について説明する。この態様は、請求項２に対応する。
【００４３】
電源スイッチ兼モード切換スイッチ４０を再生モード位置に合わせ、デジタルカメラ１を再生モードに設定する。そして、再生モードにおいて、画像モニタ３４に図５に示されるフォルダー再生画面を表示する。
【００４４】
次いで、この画面において、識別用見出し画像選択機能を選択する。具体的な操作としては、モニタ上にメニューを表示させ識別用見出し画像撮影モードを選択させる、又は、デジタルカメラ１本体のボタン操作により識別用見出し画像撮影モードを選択させる。
【００４５】
そして、識別用見出し画像撮影モードにて画像を撮影し、図７に示されるような識別用見出し画像を得る。この識別用見出し画像としては、各フォルダーに格納されている画像の内容が把握できるものであれば、特に制限はない。
【００４６】
画像撮影後にフォルダー再生画面に戻る。このとき、図８に示されるように、フォルダー再生画面に撮影した識別用見出し画像が添付される。図示の例では、フォルダー１０１  ＿ＡＢＣＤの箇所の数字１０１に代えて、撮影した画像が添付されている。図４に示される記述のフォルダー階層構造において、添付された識別用見出し画像は、ルート（ＲＯＯＴ）  の下に「ＴＨＵＭＢ  」フォルダーが作成され、この下に１０１  ＿ＡＢＣＤ．ｊｐｇというファイル名で記録される。
【００４７】
次に、デジタルカメラ１と外部機器（本実施態様では他のデジタルカメラ）との間で通信し、撮影画像を所得するとともに、この撮影画像に対応する識別用見出し画像をも所得し、これを画像フォルダの識別用見出し画像とする態様について説明する。この態様は、請求項１に対応する。
【００４８】
図９は、カメラＡとカメラＢとの間での上記操作のフローを説明するフローチャートである。ここで、カメラＡは本発明に係るデジタルカメラ１であり、カメラＢは外部機器である。
【００４９】
最初に、カメラＡとカメラＢとの間で伝送路を確率する（ステップＳ１０、ステップＳ１１０）。次いで、カメラＡは、カメラＢに対応する識別用見出し画像が記録媒体に記録されているか否かを判別する（ステップＳ１２）。識別用見出し画像があると判別されると、以下のステップＳ１４及びステップＳ１６をスキップして、ステップＳ１８に移る。
【００５０】
一方、ステップＳ１２において、識別用見出し画像がないと判別されると、カメラＢに対して識別用見出し画像の送信を要求する（ステップＳ１４）。カメラＢでは、要求があった識別用見出し画像をカメラＡに送信する（ステップＳ１２０）。
【００５１】
カメラＡでは、受信した識別用見出し画像が１０４  ＿ＡＢＣＤ．ｊｐｇというファイル名で記録される（ステップＳ１６）。すなわち、画像フォルダでは、既存の１００  ＿ＡＢＣＤ〜１０３  ＿ＡＢＣＤの４個のフォルダーに加えて、自動的にフォルダー番号を１プラスした新たなフォルダー１０４  ＿ＡＢＣＤが作成される。したがって、これに対応する番号のファイル名のもの１０４  ＿ＡＢＣＤ．ｊｐｇが、受信した識別用見出し画像のために新設される（後述する図１１参照）。また、図示しない画像ヘッダには、送信元を特定する情報が記録される。
【００５２】
次に、カメラＡは、カメラＢに転送すべき画像の送信を要求する（ステップＳ１８）。これを受けて、カメラＢでは転送すべき画像を準備し、順次カメラＡへの転送を行う（ステップＳ１３０）。
【００５３】
カメラＡでは、画像を受信すると、既述のように作成した新たなフォルダー１０４  ＿ＡＢＣＤ内に受信した画像ファイルを記録する（ステップＳ２０）。受信が終了すると、カメラＡとカメラＢとの間の伝送路が開放され（ステップＳ４０、ステップＳ１４０）、その後終了する（ステップＳ９９９）。
【００５４】
図１０は、受信した識別用見出し画像がフォルダー再生画面に添付されている状態を示すもので、フォルダー１０４  ＿ＡＢＣＤに該当する位置にフォルダーの数字１０４に代えて識別用見出し画像が表示されている。すなわち、図１０は、図８に示される撮影した識別用見出し画像に加えて、受信した識別用見出し画像が添付されたものである。
【００５５】
同様に、図１１は、図４に示されるフォルダー階層構造に、カメラＢから受信した識別用見出し画像及び画像ファイルが加わったものである。
【００５６】
なお、カメラＢから一旦受信した後に、再度カメラＢから画像ファイルを受信する場合には、カメラＢに対応する識別用見出し画像を保有していることより、識別用見出し画像を再度送信する必要はない。
【００５７】
以上、本発明に係るデジタルカメラの実施形態の例について説明したが、本発明は上記実施形態の例に限定されるものではなく、各種の態様が採り得る。
【００５８】
たとえば、本実施形態では、フォルダ番号及びコマ番号とうい概念を使用したが、これらの番号で管理されなければならない訳ではなく、他の番号概念を使用する態様も採り得る。
【００５９】
本実施形態では、より具体的には、フォルダ名の先頭３文字をフォルダ番号とし、ファイル名の５〜８文字をコマ番号としたが、フォルダ名及びファイル名上の数字の位置はこれらの例に限られる必要はなく、また、番号の桁数もこれらの例に限られる必要はない。
【００６０】
本実施形態では、識別用見出し画像とフォルダとをそれらの名称により関連付けたが、別途に管理ファイルを用意し、その中で関連付けを記載してもよい。
【００６１】
本実施形態では、識別用見出し画像を、デジタルカメラで撮影するか、外部機器との間でデータの送受信により所得したが、記録媒体中に保存されている撮影画像より作成してもよい。
【００６２】
本実施形態では、受信により所得した画像の送信元（外部機器）を画像ファイル内に記録したが、別途に管理ファイルを用意し、その中で関連付けを記載してもよい。
【００６３】
本実施形態では、送受信時に識別用見出し画像が記録媒体に記録されていない場合には、外部機器に対して識別用見出し画像の送信を要求したが、ユーザがこれを要求しない場合には、識別用見出し画像の送信を要求しなくてもよい。また、これとは反対に、送受信時に識別用見出し画像が記録媒体に記録されている場合であっても、外部機器に対して識別用見出し画像の送信を要求してもよい。これにより、識別用見出し画像を更新することが可能となる。
【００６４】
また、本実施形態では、動画と静止画の両記録機能を兼備したデジタルカメラを例に述べたが、本発明の適用範囲は動画と静止画記録兼用のカメラに限らず、動画記録用カメラ、或いは静止画記録用カメラにも適用することができる。
【００６５】
本実施形態では、記録媒体としてカメラ本体に着脱自在な外部記録媒体（リムーバブルメディア）を用いたが、記録媒体の一つ又は両方をカメラに内蔵される内部メモリ（或いは内蔵ハードディスク）とする構成も可能である。この場合、内部メモリに格納された画像データは、有線又は無線の通信手段（インターフェース）を介して外部に出力されることになる。
【００６６】
【発明の効果】
以上説明したように、本発明によれば、記録媒体内の画像フォルダ毎に識別用見出し画像を対応付けでき、通信手段を介して受信した画像ファイルを識別用見出し画像に対応した画像フォルダに格納できる。これにより、一連の撮影画像の内容を解り易くすることができる。
【００６７】
また、本発明によれば、記録媒体内の画像フォルダ毎に、撮影で得られた識別用見出し画像を対応付けできる。これにより、一連の撮影画像の内容を解り易くすることができる。
【図面の簡単な説明】
【図１】本発明の実施の形態に係るデジタルカメラの外観を示す正面図
【図２】図１に示したデジタルカメラの背面図
【図３】図１に示したデジタルカメラの内部構成を示すブロック図
【図４】記録媒体内のフォルダー階層構造を示す概念図
【図５】画像モニタにおけるフォルダー再生画面を示す図
【図６】画像モニタにおいて画像ファイルの画像を再生させた状態を示す図
【図７】画像モニタにおいて識別用見出し画像を表示させた状態を示す図
【図８】画像モニタにおけるフォルダー再生画面を示す図
【図９】カメラＡとカメラＢとの間での画像転送のフローを説明するフローチャート
【図１０】画像モニタにおけるフォルダー再生画面を示す図
【図１１】記録媒体内のフォルダー階層構造を示す概念図
【符号の説明】
１…デジタルカメラ、１０…撮影レンズ、３０…マルチファンクションの十字キー、３４…画像モニタ、３６…スピーカ、３８…画像転送部、４０…電源スイッチ兼モード切換スイッチ、４２…シャッタボタン／録画開始終了ボタン、４４…イヤホーンジャック、４６…記録メディア挿入部、５２…撮像デバイス、５４…アナログ信号処理回路、５８…デジタル信号処理回路、６４…内蔵メモリ又はメモリカード、６８…ＣＰＵ（中央処理装置）
【図１】
2004158943.tif 000003
【図２】
2004158943.tif 000004
【図３】
2004158943.tif 000005
【図４】
2004158943.tif 000006
【図５】
2004158943.tif 000007
【図６】
2004158943.tif 000008
【図７】
2004158943.tif 000009
【図８】
2004158943.tif 000010
【図９】
2004158943.tif 000011
【図１０】
2004158943.tif 000012
【図１１】
2004158943.tif 000013